(57)【要約】【課題】  秘匿対象メンバーから着信があったことが第三者に察知されるのを抑制しつつ、秘匿対象メンバーからの着信の有無を容易に識別することができる携帯情報端末を提供する。【解決手段】  通信信号を受信したときに、受信報知を行う受信報知部２３と、バックライトの点灯後にロック画面３０を表示し、ロック画面３０において動画像の一部としてシークレットオブジェクト及び通常オブジェクトのいずれかを一定時間だけ表示するロック画面表示部２７により構成される。通信信号の送信元が秘匿対象メンバーの送信者情報と一致しない場合は、受信報知部２３が受信報知を行い、ロック画面表示部２７がロック画面３０の表示直後に通常オブジェクトを表示する。通信信号の送信元が秘匿対象メンバーの送信者情報と一致する場合には、受信報知部２３が受信報知を行うことなく、ロック画面表示部２７がロック画面３０の表示直後にシークレットオブジェクトを表示する。【選択図】  図３
2015139068.tif 000002
【特許請求の範囲】
【請求項１】
通信信号を受信したときに、受信報知を行う第１の受信報知手段と、
ディスプレイのバックライトの消灯中のユーザ操作に基づいて、上記バックライトを点灯する電源供給手段と、
上記バックライトの点灯後に上記ディスプレイ上に再開画面を表示し、上記再開画面において動画像の一部として第１及び第２オブジェクトのいずれかを表示する第２の受信報知手段と、
秘匿対象メンバーの送信者情報を保持する秘匿対象メンバー記憶手段と、
上記通信信号を受信した場合に、当該通信信号の送信元と上記秘匿対象メンバーの送信者情報とを比較する送信元比較手段とを備え、
上記通信信号の送信元が上記送信者情報と一致しない場合に、第１の受信報知手段が受信報知を行い、第２の受信報知手段が上記再開画面の表示直後に第１オブジェクトを一定時間表示し、
上記通信信号の送信元が上記送信者情報と一致する場合に、第１の受信報知手段が受信報知を行うことなく、第２の受信報知手段が上記再開画面の表示直後に第２オブジェクトを一定時間表示することを特徴とする携帯情報端末。
【請求項２】
第２オブジェクトは、第１オブジェクトに比べて表示時間が異なることを特徴とする請求項１に記載の携帯情報端末。
【請求項３】
第１及び第２オブジェクトは、上記再開画面の周縁部に沿って移動することを特徴とする請求項１又は２に記載の携帯情報端末。
【請求項４】
上記第２の受信報知手段は、通信待ち受け状態以外の期間中に、上記バックライトを点灯させるユーザ操作が行われ、上記再開画面を表示する場合に、第２オブジェクトの表示によって、秘匿対象メンバーから着信があったことを通知することを特徴とする請求項１〜３のいずれかに記載の携帯情報端末。
【請求項５】
通信信号を受信したときに、受信報知を行う第１の受信報知手段と、
ディスプレイのバックライトの消灯中のユーザ操作に基づいて、上記バックライトを点灯する電源供給手段と、
待ち受け画面を表示し、上記バックライトの点灯後に上記待ち受け画面において動画像の一部として第１及び第２オブジェクトのいずれかを表示する第２の受信報知手段と、
秘匿対象メンバーの送信者情報を保持する秘匿対象メンバー記憶手段と、
上記通信信号を受信した場合に、当該通信信号の送信元と上記秘匿対象メンバーの送信者情報とを比較する送信元比較手段とを備え、
上記通信信号の送信元が上記送信者情報と一致しない場合に、第１の受信報知手段が受信報知を行い、第２の受信報知手段が上記待ち受け画面の表示直後に第１オブジェクトを一定時間表示し、
上記通信信号の送信元が上記送信者情報と一致する場合に、第１の受信報知手段が受信報知を行うことなく、第２の受信報知手段が上記待ち受け画面の表示直後に第２オブジェクトを一定時間表示することを特徴とする携帯情報端末。
【発明の詳細な説明】
【技術分野】
【０００１】
本発明は、携帯情報端末に係り、更に詳しくは、秘匿性の高い連絡先に関する情報の第三者による閲覧を制限することが可能な携帯情報端末の改良に関する。
【背景技術】
【０００２】
ユーザのプライバシーを保護するため、ユーザが秘匿対象メンバーに予め指定した連絡先に関する情報を第三者に対して秘匿するためのプライバシーモードを選択可能な携帯情報端末が知られている。例えば、秘匿対象メンバーとの間における送受信メールの閲覧が制限される。更に、秘匿対象メンバーからのメール受信時に、メール受信の通知を行わない携帯情報端末も知られている。
【０００３】
メール受信の通知を行わない場合、ユーザは、秘匿対象メンバーからのメール受信の確認操作を行う必要があるため、ユーザにとって煩雑であるという問題がある。このため、ユーザにのみ判別可能な方法によって秘匿対象メンバーからのメール受信を通知することが知られている。例えば、特許文献１には、待ち受け画面の壁紙や電池アイコンの色を変更することにより、秘匿対象メンバーからの着信をユーザに通知することが記載されている。特許文献２には、秘匿対象メンバーから電子メールを受信した場合に、ユーザが予め定めたダミー情報を表示することにより、当該メール受信をユーザに通知することが記載されている。また、バックライトの明るさや照明時間を変更することにより、ユーザに当該メール受信を通知することも記載されている。
【先行技術文献】
【特許文献】
【０００４】
【特許文献１】特許第４１１６６２７号公報
【特許文献２】特開２０１２−１０２３４号公報
【発明の概要】
【発明が解決しようとする課題】
【０００５】
特許文献１の方法では、変更後の壁紙や電池アイコンが常に表示された状態になることから、秘匿対象メンバーから着信があったことが第三者に察知され易いという問題があった。また、特許文献２に記載されたダミー情報を表示する方法では、秘匿対象メンバーから多数の電子メールを受信した場合に、同一内容のダミー情報が何度も表示されるため、第三者に察知され易いという問題があった。また、バックライトの明るさや照明時間は、使用環境や使い方に応じて自動的に変更されることが多い。このため、バックライトの明るさや照明時間を変更することによって秘匿対象メンバーからのメール受信をユーザに通知したとしても、ユーザがバックライトの明るさや照明時間の変化をメール受信によるものであると判別することが難しいという問題があった。
【０００６】
本発明は、上記の事情に鑑みてなされたものであり、秘匿対象メンバーから着信があったことが第三者に察知されるのを抑制しつつ、秘匿対象メンバーからの着信の有無をユーザが容易に識別することができる携帯情報端末を提供することを目的とする。
【課題を解決するための手段】
【０００７】
本発明による携帯情報端末は、通信信号を受信したときに、受信報知を行う第１の受信報知手段と、ディスプレイのバックライトの消灯中のユーザ操作に基づいて、上記バックライトを点灯する電源供給手段と、上記バックライトの点灯後に上記ディスプレイ上に再開画面を表示し、上記再開画面において動画像の一部として第１及び第２オブジェクトのいずれかを表示する第２の受信報知手段と、秘匿対象メンバーの送信者情報を保持する秘匿対象メンバー記憶手段と、上記通信信号を受信した場合に、当該通信信号の送信元と上記秘匿対象メンバーの送信者情報とを比較する送信元比較手段とを備え、上記通信信号の送信元が上記送信者情報と一致しない場合に、第１の受信報知手段が受信報知を行い、第２の受信報知手段が上記再開画面の表示直後に第１オブジェクトを一定時間表示し、上記通信信号の送信元が上記送信者情報と一致する場合に、第１の受信報知手段が受信報知を行うことなく、第２の受信報知手段が上記再開画面の表示直後に第２オブジェクトを一定時間表示するように構成される。
【０００８】
この携帯情報端末では、秘匿対象メンバー以外の送信元から通信信号を受信した場合、第１の受信報知手段が受信報知を行うのに対し、秘匿対象メンバーから通信信号を受信した場合には、第１の受信報知手段が受信報知を行わない。このため、秘匿対象メンバーから着信があったことを第三者に察知されるのを抑制することができる。また、秘匿対象メンバーからの着信である場合と秘匿対象メンバー以外の送信元からの着信である場合とでは、再開画面に異なるオブジェクトが表示される。このため、ユーザは、秘匿対象メンバーからの着信の有無を容易に識別することができる。更に、バックライトの点灯後に表示される再開画面の表示直後にオブジェクトを一定時間だけ表示するので、秘匿対象メンバーから着信があったことが第三者に察知され難い。なお、通信信号には、通話の着信信号や電子メールの着信通知などが含まれる。
【発明の効果】
【０００９】
本発明によれば、秘匿対象メンバーから着信があったことが第三者に察知されるのを抑制しつつ、秘匿対象メンバーからの着信の有無をユーザが容易に識別することができる携帯情報端末を提供することができる。
【図面の簡単な説明】
【００１０】
【図１】本発明の実施の形態による携帯情報端末１の一構成例を示した斜視図である。
【図２】図１の携帯情報端末１内の機能構成の一例を示したブロック図である。
【図３】図２の主制御部１００の構成例を示したブロック図である。
【図４】図２の携帯情報端末１の動作の一例を示した説明図である。
【図５】図２の携帯情報端末１の動作の一例を示した説明図である。
【図６】図２の携帯情報端末１の動作の一例を示した説明図である。
【図７】図２の携帯情報端末１の動作の一例を示した図であり、オブジェクト設定画面４０が示されている。
【図８】図２の携帯情報端末１におけるメール着信時の動作の一例を示したフローチャートである。
【図９】図２の携帯情報端末１におけるメール閲覧時の動作の一例を示したフローチャートである。
【図１０】図２の携帯情報端末１におけるバックライト点灯後の動作の一例を示したフローチャートである。
【発明を実施するための形態】
【００１１】
図１は、本発明の実施の形態による携帯情報端末１の一構成例を示した斜視図である。この携帯情報端末１は、例えば、セルラー通信を介して基地局と通信可能な携帯電話機からなり、発呼信号を基地局へ送信し、あるいは、基地局から着信信号を受信することができる。また、基地局との間において電子メールを送受信することができる。携帯情報端末１は、薄型筐体１０、ＬＥＤインジケータ１１、受話用のスピーカ１２、タッチパネル１３、送話用のマイクロホン１４及び操作キー１５ａ〜１５ｃを備えて構成される。
【００１２】
薄型筐体１０は、上下方向を長手方向とする縦長の直方体形状からなり、ＬＥＤインジケータ１１、スピーカ１２、タッチパネル１３、マイクロホン１４及び操作キー１５ａ〜１５ｃは、薄型筐体１０の前面に配置されている。ＬＥＤインジケータ１１及びスピーカ１２は、薄型筐体１０の上端部に配置され、マイクロホン１４及び操作キー１５ａ〜１５ｃは、薄型筐体１０の下端部に配置されている。
【００１３】
タッチパネル１３は、文字や画像からなる各種情報を表示するディスプレイを有し、ディスプレイの表示面に対するタッチ操作を検出する。例えば、上記ディスプレイは、上下方向に長い矩形形状の表示画面を有する液晶表示パネルと、表示画面を照明するためのバックライトとにより構成される。
【００１４】
ＬＥＤインジケータ１１は、ＬＥＤ（発光ダイオード）を点灯させることにより、着信やメール受信を報知するための表示デバイスである。例えば、ＬＥＤの点灯色や点灯間隔を異ならせることにより、報知内容を識別することができる。スピーカ１２は、受話音を出力するための音声出力装置である。マイクロホン１４は、送話音を入力するための音声入力装置である。
【００１５】
操作キー１５ａ〜１５ｃは、いずれも押下型の接点式スイッチからなり、各種機能が割り当てられる。例えば、操作キー１５ｂは、待ち受け画面を表示するための待ち受け表示キーである。操作キー１５ｃは、バックライトの点灯状態及び消灯状態を切り替え、或いは、主電源のオン状態及びオフ状態を切り替えるための電源キーである。
【００１６】
携帯情報端末１では、プライバシーモード及び通常モードを選択することができる。プライバシーモードは、ユーザのプライバシーに関する情報を第三者に対して秘匿するための動作モードである。プライバシーモードでは、ユーザが秘匿対象メンバーとして予め指定した連絡先に関する情報、例えば、発着信履歴や送受信メールが非表示となり、秘匿対象メンバーから着信があった際の着信通知も行われない。
【００１７】
通常モードは、ユーザのプライバシーに関する情報を秘匿しない動作モードである。通常モードでは、秘匿対象メンバーの発着信履歴や送受信メールが表示され、秘匿対象メンバーから着信があった際の着信通知も行われる。つまり、ここでいう通常モードは、プライバシー情報の秘匿状態が一時的に解除された動作モードである。プライバシーモードを解除するには、パスワード等によるユーザ認証が必要であり、ユーザ認証に成功すれば、プライバシーモードが解除され、通常モードへ移行する。
【００１８】
＜携帯情報端末１＞
図２は、図１の携帯情報端末１内の機能構成の一例を示したブロック図である。この携帯情報端末１は、主制御部１００、セルラー通信部１１０、操作部１２０、電源供給部１３０、表示制御部１４０、音声処理部１５０及びＬＥＤインジケータ１１により構成される。
【００１９】
主制御部１００は、通話制御などの主要な制御を行う。セルラー通信部１１０は、セルラー基地局から通信信号を受信する無線通信部である。上記通信信号には、着信時の呼出信号や、電子メールを受信したことをセルラー基地局から通知する受信通知信号などが含まれる。操作部１２０は、タッチパネル１３や操作キー１５ａ〜１５ｃの操作に応じた操作信号を生成する。
【００２０】
電源供給部１３０は、二次電池などの内蔵電池（図示せず）からなる電源供給手段であり、直流電流をタッチパネル１３などの各デバイスへ供給する。電源供給部１３０は、タッチパネル１３のバックライトの点灯中にユーザが操作キー１５ｃを押下した場合に、タッチパネル１３への電源供給を遮断することにより、バックライトを消灯する。また、消費電力を低減させるため、ユーザ操作が行われない状態が所定時間だけ経過した場合にも、タッチパネル１３への電源供給が遮断され、バックライトが自動消灯される。一方、電源供給部１３０は、バックライトの消灯中に操作キー１５ｂが押下されれば、タッチパネル１３への電源供給を再開し、バックライトを点灯する。
【００２１】
表示制御部１４０は、タッチパネル１３の表示制御を行う。音声処理部１５０は、マイクロホン１４により集音された音声信号を増幅し、デジタルデータに変換して主制御部１００に出力する一方、主制御部１００から出力された音声データをアナログ信号に変換して駆動信号を生成し、スピーカ１２へ出力する。
【００２２】
＜主制御部１００＞
図３は、図２の主制御部１００の構成例を示したブロック図である。この主制御部１００は、モード切替部２０、送信元比較部２１、送信者情報記憶部２２、受信報知部２３、シークレット着信フラグ記憶部２４、オブジェクト生成部２５、オブジェクトパターン記憶部２６、ロック画面表示部２７、認証処理部２８及び待ち受け画面表示部２９により構成される。
【００２３】
モード切替部２０は、操作部１２０からの操作信号に基づいて、プライバシーモード及び通常モードの切り替えを行う。プライバシーモードでは、ユーザが秘匿対象メンバーとして予め指定した連絡先との間の送受信メールや発着信履歴が表示されない。また、プライバシーモードから通常モードへの移行時にはユーザ認証が要求される。例えば、ユーザ認証として、パスワード認証や指紋認証が行われる。
【００２４】
送信元比較部２１は、セルラー通信部１１０が通信信号を受信した場合に、当該通信信号の送信元と、送信者情報記憶部２２に保持されている送信者情報とを比較し、その比較結果を受信報知部２３へ出力する。送信者情報記憶部２２には、ユーザが登録した送信者情報が保持される。例えば、連絡先のメールアドレスや電話番号が送信者名に対応づけて保持される。また、送信者情報記憶部２２には、通常メンバー及びシークレットメンバーの識別情報とともに送信者情報が保持される。シークレットメンバーは、ユーザにより予め指定される秘匿対象メンバーであり、シークレットメンバーとして指定されていない送信者情報が通常メンバーとして保持される。
【００２５】
送信元比較部２１は、通信信号の送信元がシークレットメンバーの送信者情報と一致する場合に、シークレット着信フラグ記憶部２４に保持されているシークレット着信フラグを有効化する。すなわち、シークレットメンバーから通信信号を受信した場合には、シークレット着信フラグが有効化される。
【００２６】
また、送信元比較部２１は、シークレットメンバーから受信した電子メール又は着信履歴をユーザが閲覧した場合に、シークレット着信フラグを無効化する。シークレット着信フラグ記憶部２４には、この様なシークレット着信フラグが保持される。シークレット着信フラグは、初期状態では無効化されている。
【００２７】
受信報知部２３は、通信信号を受信したときに、表示制御部１４０又はＬＥＤインジケータ１１を制御することにより、受信報知を行う第１の受信報知手段である。プライバシーモードでは、通信信号の送信元が通常メンバーの送信者情報と一致する場合に、当該送信者情報が受信報知として画面表示される。
【００２８】
また、通信信号の送信元が送信者情報記憶部２２に登録されていなければ、通信信号から抽出される送信元の電話番号又はメールアドレスが受信報知として画面表示される。ただし、通信信号を受信したときに、バックライトが消灯中であれば、ＬＥＤインジケータを点灯させる受信報知が行われる。一方、通信信号の送信元がシークレットメンバーの送信者情報と一致する場合には、受信報知が行われない。
【００２９】
通常モードでは、通信信号の送信元がシークレットメンバーの送信者情報に一致する場合にも、当該送信者情報が受信報知として画面表示される。通信信号の送信元が通常メンバーの送信者情報と一致する場合や、通常メンバー及びシークレットメンバーの送信者情報のいずれとも一致しない場合については、プライバシーモードと同じ処理が行われる。
【００３０】
オブジェクト生成部２５は、シークレット着信フラグ記憶部２４が保持するシークレット着信フラグに基づいて、受信報知のためのオブジェクトを生成する。オブジェクトは、バックライトの点灯後に表示される再開画面、例えば、ロック画面上に動画像の一部として表示される表示オブジェクトであり、オブジェクトパターン記憶部２６が保持するパターン情報に基づいて生成される。例えば、ロック画面の周縁部に沿って移動する緑色蛍光の模様がオブジェクトとして表示される。
【００３１】
オブジェクトには、シークレットメンバーから着信があったことを通知するためのシークレットオブジェクトと、通常メンバー又は送信者情報が登録されていない送信元から着信があったことを通知するための通常オブジェクトとがある。オブジェクトパターン記憶部２６には、シークレットオブジェクト及び通常オブジェクトを生成するための２以上のパターン情報が保持される。
【００３２】
オブジェクト生成部２５は、シークレット着信フラグが無効である場合に、通常オブジェクトを生成する。一方、シークレット着信フラグが有効である場合には、シークレットオブジェクトが生成される。シークレットオブジェクトは、ロック画面上において通常オブジェクトと異なる表示態様において表示される。例えば、シークレットオブジェクトは、通常オブジェクトに比べて表示時間が長い。
【００３３】
ロック画面表示部２７は、タッチパネル１３のバックライトの消灯中におけるユーザ操作に基づいて、タッチパネル１３上にロック画面を表示する。ロック画面は、タッチパネル１３への電源供給が再開された場合に、バックライトの点灯後に表示される再開画面である。ロック画面が表示される状態は、タッチパネル１３の誤操作を防止するためのロック状態である。その様なロック状態では、予め定められたロック解除操作を行うことにより、ロック状態を解除し、待ち受け画面の表示状態へ移行させることができる。
【００３４】
このロック画面表示部２７は、ロック画面の表示開始直後に、オブジェクト生成部２５によって生成された通常オブジェクト又はシークレットオブジェクトをロック画面上に表示する。すなわち、ロック画面表示部２７は、ロック画面上にシークレットオブジェクトを表示することにより、シークレットメンバーから通信信号を受信したことを通知する第２の受信報知手段である。
【００３５】
通常オブジェクト及びシークレットオブジェクトは、ロック画面の表示が開始されてから一定時間だけ表示される。例えば、通常オブジェクト及びシークレットオブジェクトは、１〜２秒程度表示される。また、通常オブジェクト及びシークレットオブジェクトは、ロック画面を構成する画面構成部品とは別個の画像からなる。或いは、通常オブジェクト及びシークレットオブジェクトは、ロック画面を構成する画面構成部品、例えば、背景画像の一部を画像処理することによって得られる。
【００３６】
ロック画面表示部２７は、通信待ち受け状態以外の期間中に、バックライトを点灯させるユーザ操作が行われ、ロック画面を表示する場合に、シークレットオブジェクトの表示によって、シークレットメンバーから着信があったことを通知する。通信待ち受け状態は、通信の発信及び着信待ちの状態であり、携帯電話回線が接続されている状態、すなわち、自端末が回線網に位置登録されている状態と、圏外であっても、受信レベルを監視して携帯電話回線に接続可能になるのを待っている状態とを含む。この通信待ち受け状態以外の期間には、主電源をオンしたときから通信待ち受け状態に移行するまでの期間と、主電源をオフする操作を行うことによって非待ち受け状態となったときからシャットダウンするまでの期間と、携帯電話機能をオフ状態にしている期間とがある。この様な通信待ち受け状態以外の期間中に、バックライトを点灯させるユーザ操作が行われ、バックライトの点灯後にロック画面を表示する場合に、シークレットオブジェクトの表示によって、シークレットメンバーから着信があったことが通知される。このため、通信待ち受け状態以外の期間中であっても、シークレットメンバーから着信があったことを認識することができる。
【００３７】
待ち受け画面表示部２９は、ロック状態が解除されれば、ロック画面に代えて、タッチパネル１３上に待ち受け画面を表示する。待ち受け画面は、携帯情報端末１の電話機能が有効であり、電話着信が可能な状態においてタッチパネル１３に表示される画面である。待ち受け画面の表示中に、電子メールなどが着信すれば、着信画面が表示され、或いは、ユーザが指定したアプリケーションプログラムを起動させれば、アプリケーションプログラムの実行画面が表示される。
【００３８】
認証処理部２８は、任意の画面において、所定の操作を行うことにより、ユーザ認証を行う。ここで所定の操作とは、例えば、画面内に設けられたステータスバーを下向きにドラッグするドラッグ操作と、このドラッグ操作により画面上に表示される通知パネル内の設定アイコンを長押しする長押し操作と、認証用コードを入力するコード入力操作とからなる。これらの操作を順に行い、入力した認証用コードが予め登録された登録コードと一致すれば、認証処理部２８は、ユーザ認証に成功したと判断し、プライバシーモードを解除して通常モードに移行するようにモード切替部２０に指示する。
【００３９】
図４〜図６は、図２の携帯情報端末１の動作の一例を示した説明図であり、ロック画面３０上にオブジェクトＡ１〜Ａ３が表示される様子が示されている。図４〜図６では、オブジェクトＡ１〜Ａ３が破線により示されている。図４（ａ）には、オブジェクトＡ１の表示開始時の状態が示され、図４（ｂ）には、図４（ａ）から所定時間が経過した状態が示されている。
【００４０】
タッチパネル１３のバックライトの消灯中にユーザが操作キー１５ｃを押下した場合、バックライトが点灯し、ロック画面３０が表示される。このロック画面３０には、ロック状態を解除するためのロック解除ボタン３１が表示されている。ロック解除ボタン３１を下向きにドラッグすれば、ロック状態は解除され、待ち受け画面が表示される。
【００４１】
オブジェクトＡ１の表示は、ロック画面３０の表示直後に開始され、一定時間が経過すれば終了される。図４（ａ）に示す表示例では、オブジェクトＡ１が、ロック画面３０の上端及び左端上部に沿って形成された一定長さの帯状の模様からなる。このオブジェクトＡ１は、図４（ｂ）に示すように、ロック画面３０の周縁部に沿って左回りに移動する。
【００４２】
図５には、図４とは表示パターンが異なるオブジェクトＡ２が示されている。図５（ａ）には、オブジェクトＡ２の表示開始時の状態が示され、図５（ｂ）には、図５（ａ）から所定時間が経過した状態が示されている。
【００４３】
オブジェクトＡ２は、ロック画面３０の左端及び右端においてそれぞれ上下に延びるように形成された緑色蛍光の模様であり、その中央付近の幅がその上端及び下端付近に比べて広くなっている。図５（ｂ）に示すように、オブジェクトＡ２は、時間経過に伴って、画面中央に張り出し、徐々に幅が広くなるとともに、上下方向に長くなる。
【００４４】
図６（ａ）及び（ｂ）には、図４及び図５とは表示パターンが異なるオブジェクトＡ３が示されている。図６（ａ）には、オブジェクトＡ３の表示開始時の状態が示され、図６（ｂ）には、図６（ａ）から所定時間が経過した状態が示されている。
【００４５】
オブジェクトＡ３は、ロック画面３０の左上隅及び右上隅に形成された下方向に凸の緑色蛍光の山形模様と、ロック画面３０の左下隅及び右下隅に形成された上方向に凸の緑色蛍光の山形模様とからなる。図６（ａ）に示す状態では、ロック画面３０の左上隅及び左下隅に形成された山形模様の左半分や、ロック画面３０の右上隅及び右下隅に形成された山形模様の右半分はいずれも表示されていない。図６（ｂ）に示すように、これらのオブジェクトＡ３は、それぞれロック画面３０の上端又は下端に沿って一端から他端へ向けて移動する。
【００４６】
＜オブジェクト設定画面４０＞
図７は、図２の携帯情報端末１の動作の一例を示した図であり、オブジェクト設定画面４０が示されている。図中の（ａ）には、シークレットオブジェクトの表示パターンを設定する場合が示され、（ｂ）には、通常オブジェクトの表示パターンを設定する場合が示されている。通常オブジェクトの表示パターンを設定する場合、オブジェクトの形状などが互いに異なる３つの表示パターン「パターン１」〜「パターン３」の中から、任意に一つを選択することができる。例えば、「効果パターン」の表示欄に対し、タッチ操作を行えば、表示パターンの選択画面が表示される。
【００４７】
一方、シークレットオブジェクトの表示パターンを設定する場合には、５つの表示パターン「パターン１」〜「パターン５」の中から、任意に一つを選択することができる。「パターン４」及び「パターン５」は、シークレットオブジェクト固有の表示パターンである。また、オブジェクト設定画面４０には、効果パターンの他、表示時間、輝度、移動速度及び表示幅の各表示欄が設けられている。
【００４８】
タッチ操作により「表示時間」の表示欄を選択すれば、表示時間の選択画面が表示される。オブジェクトの表示開始から所定の表示時間が経過すれば、オブジェクトの表示が終了し、ロック画面上にオブジェクトが表示されない状態となる。この様な表示時間は、選択画面において、「長い」、「標準」又は「短い」のいずれかを選択することにより、段階的に変更することができる。
【００４９】
「輝度」の表示欄を選択すれば、輝度の選択画面が表示される。輝度は、ロック画面３０の他の表示領域に対するオブジェクトの相対的な明るさを示す。この様な輝度は、選択画面において、「明るい」、「標準」又は「暗い」のいずれかを選択することにより、段階的に変更することができる。
【００５０】
「移動速度」の表示欄を選択すれば、移動速度の選択画面が表示される。移動速度は、ロック画面３０において移動するオブジェクトの移動速度を示す。この様な移動速度は、選択画面において、「速い」、「標準」又は「遅い」のいずれかを選択することにより、段階的に変更することができる。
【００５１】
「表示幅」の表示欄を選択すれば、表示幅の選択画面が表示される。表示幅は、オブジェクトの幅を示す。この様な表示幅は、選択画面において、「広い」、「標準」又は「狭い」のいずれかを選択することにより、段階的に変更することができる。
【００５２】
シークレットオブジェクトの全ての項目について、通常オブジェクトで設定されている効果パターンと同一の設定が選択された場合には、ユーザが通常オブジェクトとシークレットオブジェクトとを識別することができない。このため、この様な設定が選択された場合には、エラー表示が行われ、シークレットオブジェクトの設定の変更を促すメッセージが表示される。
【００５３】
図８のステップＳ１０１〜Ｓ１０７は、図２の携帯情報端末１におけるメール着信時の動作の一例を示したフローチャートである。この処理手順は、セルラー通信部１１０が電子メールを受信したときに開始される。
【００５４】
まず、送信元比較部２１は、受信した電子メールの送信元とシークレットメンバーの送信者情報とを比較する（ステップＳ１０１）。このとき、電子メールの送信元がシークレットメンバーの送信者情報と一致すれば、送信元比較部２１は、シークレット着信フラグ記憶部２４内のシークレット着信フラグを有効化し、この処理を終了する（ステップＳ１０２）。
【００５５】
一方、受信した電子メールの送信元がシークレットメンバーの送信者情報と一致しない場合には、タッチパネル１３のバックライトが点灯中であるか否かが判別される（ステップＳ１０３）。このとき、バックライトが点灯中であれば、送信元比較部２１は、受信した電子メールの送信元と通常メンバーの送信者情報とを比較する（ステップＳ１０４）。そして、電子メールの送信元が通常メンバーの送信者情報と一致する場合には、受信報知部２３が、送信元のメールアドレス、送信者情報記憶部２２において当該メールアドレスに対応づけられている送信者名などの登録情報を受信報知としてタッチパネル１３上に表示し、この処理を終了する（ステップＳ１０５）。
【００５６】
これに対し、受信した電子メールの送信元が通常メンバーの送信者情報と一致しない場合には、受信報知部２３が、送信元のメールアドレスを受信報知としてタッチパネル１３上に表示し、この処理を終了する（ステップＳ１０７）。また、ステップＳ１０３の判定においてバックライトが消灯中である場合には、受信報知部２３がＬＥＤインジケータ１１を受信報知として点灯させ、この処理を終了する（ステップＳ１０６）。
【００５７】
図９のステップＳ２０１〜Ｓ２０３は、図２の携帯情報端末１におけるメール閲覧時の動作の一例を示したフローチャートである。この処理手順は、通常モードにおいて、ユーザが受信メールの閲覧操作を行ったときに開始される。まず、シークレット着信フラグ記憶部２４内のシークレット着信フラグが読み出される（ステップＳ２０１）。このとき、シークレット着信フラグが無効であれば、この処理は直ちに終了する。
【００５８】
一方、シークレット着信フラグが有効である場合には、シークレットメンバーから受信した電子メールの閲覧操作であるか否かの判定が行われる（ステップＳ２０２）。シークレットメンバーからの受信メールは、秘匿対象メールである。秘匿対象メールの閲覧操作でなければ、この処理は終了する。一方、秘匿対象メールの閲覧操作である場合には、シークレット着信フラグ記憶部２４内のシークレット着信フラグが無効化され、この処理は終了する（ステップＳ２０３）。
【００５９】
図１０のステップＳ３０１〜Ｓ３０８は、図２の携帯情報端末１におけるバックライト点灯後の動作の一例を示したフローチャートである。この処理手順は、プライバシーモードにおいて、タッチパネル１３のバックライトの消灯中に、ユーザによる操作キー１５ｃの押下操作が行われたときに開始される。まず、ロック画面表示部２７は、ロック画面３０を表示する（ステップＳ３０１）。
【００６０】
次に、オブジェクト生成部２５は、シークレット着信フラグ記憶部２４からシークレット着信フラグを読み出す（ステップＳ３０２）。このとき、シークレット着信フラグが有効であれば、ロック画面表示部２７は、ロック画面３０の表示直後にシークレットオブジェクトの表示を開始する（ステップＳ３０３）。シークレットオブジェクトの表示は、一定時間Ｔ１継続され、ロック画面３０の表示開始から一定時間Ｔ１が経過すれば、シークレットオブジェクトの表示が終了する（ステップＳ３０４，Ｓ３０５）。
【００６１】
一方、シークレット着信フラグが無効である場合には、ロック画面３０の表示直後に通常オブジェクトの表示が開始される（ステップＳ３０７）。通常オブジェクトの表示は、一定時間Ｔ２継続され、ロック画面３０の表示開始から一定時間Ｔ２が経過すれば、通常オブジェクトの表示が終了する（ステップＳ３０８，Ｓ３０５）。
【００６２】
次に、待ち受け画面表示部２９は、待ち受け画面を表示し、この処理を終了する（ステップＳ３０６）。通常オブジェクト及びシークレットオブジェクトは、ロック画面３０には表示されるが、待ち受け画面には表示されない。
【００６３】
本実施の形態によれば、シークレットメンバー以外の送信元から通信信号を受信した場合、受信報知部２３が受信報知を行うのに対し、シークレットメンバーから通信信号を受信した場合には、受信報知部２３が受信報知を行わない。このため、シークレットメンバーから着信があったことを第三者に察知されるのを抑制することができる。また、シークレットメンバーからの着信である場合とシークレットメンバー以外の送信元からの着信である場合とでは、ロック画面３０に表示パターンの異なるオブジェクトが表示される。このため、ユーザは、シークレットメンバーからの着信の有無を容易に識別することができる。更に、バックライトの点灯後に表示されるロック画面３０の表示直後から一定時間だけシークレットオブジェクトを表示するので、シークレットメンバーから着信があったことが第三者に察知され難い。
【００６４】
なお、本実施の形態では、バックライトの点灯後にロック画面３０が表示される場合の例について説明したが、本発明は、ロック状態を有しないものや、ロック機能の無効化が可能なものにも適用することができる。例えば、バックライトの点灯後に待ち受け画面を表示するものにも適用することができる。
【００６５】
待ち受け画面表示部２９は、ユーザ操作に基づいて、待ち受け画面を表示する。例えば、待ち受け画面とは異なる画面、例えば、電子メールの閲覧画面の表示中に、操作キー１５ｂが押下されれば、待ち受け画面が表示される。また、待ち受け画面表示部２９は、バックライトの消灯直前に待ち受け画面を表示していた場合に、バックライトの点灯直後に待ち受け画面を表示する。
【００６６】
この待ち受け画面表示部２９は、バックライトの点灯後に待ち受け画面を表示する場合に、待ち受け画面の表示直後に、オブジェクト生成部２５によって生成された通常オブジェクト又はシークレットオブジェクトを待ち受け画面上に表示する。例えば、バックライトの消灯直前に待ち受け画面が表示されていた場合には、バックライトの点灯後における待ち受け画面の表示直後にオブジェクトの表示が開始される。また、バックライトの消灯直前に待ち受け画面以外の画面が表示されていた場合には、バックライトの点灯後は、消灯直前に表示されていた画面が表示される。この場合、操作キー１５ｃを操作すれば、待ち受け画面が表示され、オブジェクトの表示が開始される。通常オブジェクト又はシークレットオブジェクトは、待ち受け画面の表示が開始されてから一定時間だけ表示される。
【００６７】
なお、バックライトの点灯後において、最初に表示される待ち受け画面に通常オブジェクト又はシークレットオブジェクトを表示するのに代えて、バックライトの点灯後、２以上の所定回数に達するまで、待ち受け画面を表示するごとに、通常オブジェクト又はシークレットオブジェクトを待ち受け画面に表示するような構成であっても良い。
【００６８】
また、本実施の形態では、シークレットオブジェクトの表示パターンとして、２つの固有パターンが選択可能である場合の例について説明したが、オブジェクトの設定方法をこれに限定するものではない。例えば、シークレットオブジェクトに固有の表示パターンを設けず、シークレットオブジェクトと通常オブジェクトとで、選択可能な表示パターンの種類を同一とするような構成であっても良い。また、表示パターンの表示時間、輝度、移動速度といった表示形態として、選択可能な設定項目をシークレットオブジェクト及び通常オブジェクト間で異ならせても良い。或いは、シークレットオブジェクト及び通常オブジェクト間で、選択可能な表示パターンの種類や表示形態の設定項目を同一とする一方、シークレットオブジェクトを表示する際に、選択された表示パターン（画像）に応じた時間的加工を付加することにより、シークレットオブジェクトを通常オブジェクトと識別可能にするという構成であっても良い。
【００６９】
また、本実施の形態では、携帯情報端末１が、タッチパネル１３を備えた薄型筐体１０からなる場合の例について説明した。しかし、本発明は、携帯情報端末１の構成をこれに限定するものではない。例えば、表示筐体、操作筐体、及び、これらの筐体を連結するヒンジ機構を備え、両筐体を折り畳むことができる折り畳み式の携帯情報端末にも本発明は適用することができる。
【００７０】
本発明の実施の形態による携帯情報端末１の構成と対応する作用効果とを以下に整理してまとめる。
第１の本発明による携帯情報端末１は、通信信号を受信したときに、受信報知を行う受信報知部２３と、ディスプレイのバックライトの消灯中のユーザ操作に基づいて、バックライトを点灯する電源供給部１３０と、バックライトの点灯後にディスプレイ上にロック画面３０を表示し、ロック画面３０において動画像の一部として通常オブジェクト又はシークレットオブジェクトのいずれかを表示するロック画面表示部２７と、シークレットメンバーの送信者情報を保持する送信者情報記憶部２２と、通信信号を受信した場合に、当該通信信号の送信元とシークレットメンバーの送信者情報とを比較する送信元比較部２１とを備え、通信信号の送信元が送信者情報と一致しない場合に、受信報知部２３が受信報知を行い、ロック画面表示部２７がロック画面３０の表示直後に通常オブジェクトを一定時間表示し、通信信号の送信元が送信者情報と一致する場合に、受信報知部２３が受信報知を行うことなく、ロック画面表示部２７がロック画面３０の表示直後にシークレットオブジェクトを一定時間表示するように構成される。この様な構成によれば、シークレットメンバーから着信があったことを第三者に察知されるのを抑制することができる。また、シークレットメンバーからの着信である場合とシークレットメンバー以外の送信元からの着信である場合とでは、ロック画面３０に異なるオブジェクトが表示される。このため、ユーザは、シークレットメンバーからの着信の有無を容易に識別することができる。更に、バックライトの点灯後に表示されるロック画面３０の表示直後にオブジェクトを一定時間だけ表示するので、シークレットメンバーから着信があったことが第三者に察知され難い。
【００７１】
第２の本発明による携帯情報端末１は、上記構成に加え、シークレットオブジェクトが、通常オブジェクトに比べて表示時間が異なるように構成される。この様な構成によれば、第三者に察知されることなく、シークレットオブジェクト及び通常オブジェクトを容易に識別することができる。
【００７２】
第３の本発明による携帯情報端末１は、上記構成に加え、通常オブジェクト及びシークレットオブジェクトが、ロック画面３０の周縁部に沿って移動するように構成される。この様な構成によれば、通常オブジェクト及びシークレットオブジェクトが目立たないので、シークレットメンバーから着信があったことを第三者に察知され難くすることができる。
【００７３】
第４の本発明による携帯情報端末１は、上記構成に加え、ロック画面表示部２７が、通信待ち受け状態以外の期間中に、バックライトを点灯させるユーザ操作が行われ、ロック画面３０を表示する場合に、シークレットオブジェクトの表示によって、シークレットメンバーから着信があったことを通知するように構成される。この様な構成によれば、通信待ち受け状態以外の期間中であっても、シークレットメンバーから着信があったことを認識することができる。
【００７４】
第５の本発明による携帯情報端末１は、通信信号を受信したときに、受信報知を行う受信報知部２３と、ディスプレイのバックライトの消灯中のユーザ操作に基づいて、バックライトを点灯する電源供給部１３０と、待ち受け画面を表示し、バックライトの点灯後に待ち受け画面において動画像の一部として通常オブジェクト又はシークレットオブジェクトのいずれかを表示する待ち受け画面表示部２９と、シークレットメンバーの送信者情報を保持する送信者情報記憶部２２と、通信信号を受信した場合に、当該通信信号の送信元とシークレットメンバーの送信者情報とを比較する送信元比較部２１とを備え、通信信号の送信元が送信者情報と一致しない場合に、受信報知部２３が受信報知を行い、待ち受け画面表示部２９が待ち受け画面の表示直後に通常オブジェクトを一定時間表示し、通信信号の送信元が送信者情報と一致する場合に、受信報知部２３が受信報知を行うことなく、待ち受け画面表示部２９が待ち受け画面の表示直後にシークレットオブジェクトを一定時間表示するように構成される。この様な構成によれば、シークレットメンバーからの着信である場合とシークレットメンバー以外の送信元からの着信である場合とでは、待ち受け画面に異なるオブジェクトが表示される。このため、ユーザは、シークレットメンバーからの着信の有無を容易に識別することができる。更に、バックライトの点灯後に表示される待ち受け画面の表示直後にオブジェクトを一定時間だけ表示するので、シークレットメンバーから着信があったことが第三者に察知され難い。
【符号の説明】
【００７５】
１      携帯情報端末
１１    ＬＥＤインジケータ
１３    タッチパネル
１５ａ〜１５ｃ  操作キー
２０    モード切替部
２１    送信元比較部
２２    送信者情報記憶部
２３    受信報知部
２４    シークレット着信フラグ記憶部
２５    オブジェクト生成部
２６    オブジェクトパターン記憶部
２７    ロック画面表示部
２８    認証処理部
２９    待ち受け画面表示部
３０    ロック画面
４０    オブジェクト設定画面
１００  主制御部
１１０  セルラー通信部
１２０  操作部
１３０  電源供給部
Ａ１〜Ａ３  オブジェクト
【図１】
2015139068.tif 000003
【図２】
2015139068.tif 000004
【図３】
2015139068.tif 000005
【図４】
2015139068.tif 000006
【図５】
2015139068.tif 000007
【図６】
2015139068.tif 000008
【図７】
2015139068.tif 000009
【図８】
2015139068.tif 000010
【図９】
2015139068.tif 000011
【図１０】
2015139068.tif 000012